(57)【要約】【課題】プラズマディスプレイ装置において映像信号と音声信号の処理時間が異なるため、映像と音声が同期していない。この視聴時の違和感を解消することを目的とする。【解決手段】Ｉ／Ｐ変換回路１１、信号処理回路１２及び駆動回路１３を備え入力される映像信号に基づいてプラズマディスプレイパネル１４を表示駆動させるための映像信号処理回路部と、前記映像信号に同期して入力される音声信号に基づいて音声を出力する音声信号処理回路部とを有し、前記音声信号処理回路部に、映像信号の種類に応じて前記映像信号処理回路部の最終段における映像信号と音声信号処理回路部の最終段の音声信号とを同期させるように音声信号を所定時間遅延させるため、メモリー１６、遅延時間制御装置１７による遅延手段を設けた。【選択図】図１
2005123692.tif 000002
【特許請求の範囲】
【請求項１】
Ｉ／Ｐ変換回路、信号処理回路及び駆動回路を備え入力される映像信号に基づいてプラズマディスプレイパネルを表示駆動させるための映像信号処理回路部と、前記映像信号に同期して入力される音声信号に基づいて音声を出力する音声信号処理回路部とを有し、前記音声信号処理回路部は、音声信号を記憶するためのメモリーと、このメモリーからデータを出力する時間を制御しかつ映像信号の種類に応じて前記出力時間を遅延させる時間を制御可能な制御装置とを設け、前記映像信号処理回路部の最終段における映像信号と音声信号処理回路部の最終段の音声信号とを同期させるように音声信号を所定時間遅延させることを特徴とするプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
近年、プラズマディスプレイパネル（ＰＤＰ）を用いたプラズマディスプレイ装置は、視認性に優れた表示パネル（薄型表示デバイス）として注目されており、高精細化および大画面化が進められている。これに伴い、音声出力も増加の傾向にあり、これに伴い、映像と音声のバランスをとることが求められている。また、プラズマディスプレイ装置の音声出力装置としては、特許文献１に示すものが知られている。
【０００３】
図２は従来のプラズマディスプレイ装置における映像、音声信号処理部分の構成の一例を示す図である。図２に示すように、プラズマディスプレイ装置の音声信号処理回路としては、映像、音声再生装置からのアナログ音声信号を音量調整、音質調整等を行うコントロール手段１を通過させた後に、パワーアンプである電力増幅手段２に入力して電力増幅を行い、スピーカーである音声出力装置３に入力して音声を出力している。また、映像信号は、Ｉ／Ｐ変換回路４において、インターレスの映像信号のプログレッシブ化を行い、その後ＰＤＰ専用の信号処理回路５において信号処理を行い、駆動回路６に入力してＰＤＰ７を表示駆動させ、映像を表示する構成である。
【０００４】
このような図２に示す回路では、各段の処理時間はＩ／Ｐ変換回路４で３２〜６０ｍＳの処理時間を要し、ＰＤＰ専用の信号処理回路５で１６〜２０ｍＳの処理時間を要し、合計４８〜８０ｍＳの時間を要する。これに対し、音声信号はコントロール手段１と電力増幅手段２を通過するのみで、殆ど遅延なく音声出力装置３から出力される。
【特許文献１】特開２００３−１５８６９４号公報
【発明の開示】
【発明が解決しようとする課題】
【０００５】
このようにプラズマディスプレイ装置においては、音声信号がごく短い遅延時間で処理されるのに対して、映像信号はＩ／Ｐ変換回路４、信号処理回路５、駆動回路６を通過し、これらの映像信号処理には４８〜８０ｍＳの時間が必要である。
【０００６】
このため、入力時には同期がとれていた映像信号と音声信号は、出力時に音声信号に対して映像信号が遅延した状態になる。遅延時間が長くなると、映像に対し音声が先に出力される現象が生じることとなり、視聴者に違和感を与えることになる。
【０００７】
本発明はこのような課題を解決し、視聴者の違和感を取り除いたプラズマディスプレイ装置とすることを目的とするものである。
【課題を解決するための手段】
【０００８】
上記目的を達成するために本発明のプラズマディスプレイ装置は、Ｉ／Ｐ変換回路、信号処理回路及び駆動回路を備え入力される映像信号に基づいてプラズマディスプレイパネルを表示駆動させるための映像信号処理回路部と、前記映像信号に同期して入力される音声信号に基づいて音声を出力する音声信号処理回路部とを有し、前記音声信号処理回路部は、音声信号を記憶するためのメモリーと、このメモリーからデータを出力する時間を制御しかつ映像信号の種類に応じて前記出力時間を遅延させる時間を制御可能な制御装置とを設け、前記映像信号処理回路部の最終段における映像信号と音声信号処理回路部の最終段の音声信号とを同期させるように音声信号を所定時間遅延させることを特徴とするものである。
【発明の効果】
【０００９】
本発明にかかるプラズマディスプレイ装置によれば、映像信号と音声信号の同期が実現され、視聴時の不快感が解消されるという効果が得られる。
【発明を実施するための最良の形態】
【００１０】
以下、本発明の一実施の形態によるプラズマディスプレイ装置について、図１を用いて説明する。
【００１１】
図１は本発明の一実施の形態によるプラズマディスプレイ装置における信号処理部分の構成を示す図である。図１において、映像信号処理回路部は、映像信号が入力されるＩ／Ｐ（インターレス／プログレッシブ）変換回路１１において、インターレスの映像信号のプログレッシブ化を行い、その後ＰＤＰ専用の信号処理回路１２において信号処理を行い、駆動回路１３に入力してＰＤＰ１４を表示駆動させ、映像を表示する構成である。前記映像信号処理回路部において、映像信号はＩ／Ｐ変換回路１１でインターレス／プログレッシブ変換が行われるが、この変換処理に３２〜６０ｍＳの時間を要し、また信号処理回路１２での信号処理に１６〜２０ｍＳの処理時間を要し、映像信号が入力されて映像表示が行われるまでに、４８〜８０ｍＳの時間を要している。
【００１２】
一方、音声信号処理回路は、アナログ音声信号を入力しデジタル出力を行うＡ／Ｄコンバーター１５と、前記Ａ／Ｄコンバーター１５のデジタル出力を記憶することにより音声信号を一時記憶するメモリー１６と、前記メモリー１６から一定時間経過後にデータの出力制御を行う遅延時間制御装置１７と、前記メモリー１６からデジタル化された信号を受け、アナログ音声信号に変換するＤ／Ａコンバーター１８と、アナログ音声信号に対して音量調整、音質調整等を行うコントロール手段１９と、このコントロール手段から入力される音声信号の電力増幅を行うパワーアンプである電力増幅手段２０と、スピーカーである音声出力装置２１とを有している。
【００１３】
前記遅延時間制御装置１７は、映像信号の種類を判別する映像信号判別回路２２からの信号を受け、映像信号の種類により遅延時間を選択する遅延時間選択回路２３により遅延時間を選択し、メモリー１６に対してデータを蓄積する時間を設定する。
【００１４】
次に音声信号処理回路部の動作について説明する。
【００１５】
音声信号は、最適な量子化ビット数、標本化周波数によりＡ／Ｄコンバーター１５でアナログからデジタル信号に変換される。変換された信号はメモリー１６に記憶される。映像信号判別回路２２から遅延時間制御装置１７に入力された信号に応じて、遅延時間選択回路２３が映像処理の遅延時間に対応した制御をメモリー１６に対して行う。遅延したデータは、Ｄ／Ａコンバーター１８でアナログ信号化され、コントロール手段１９で音量、音質の処理が行われて電力増幅手段２０に入力される。電力増幅された音声信号は、音声出力装置２１により再生される。
【００１６】
このような本実施の形態によれば、音声信号処理回路部に、映像信号の種類に応じて、前記映像信号処理回路部の最終段における映像信号と音声信号処理回路部の最終段の音声信号とを同期させるように音声信号を所定時間遅延させるために、メモリー１６、遅延時間制御装置１７による遅延手段を有しており、最終出力装置において映像、音声が同期し、違和感の無い表示装置として機能する。
【産業上の利用可能性】
【００１７】
本発明によれば、映像信号と音声信号の同期が実現され、視聴時の不快感が解消されたプラズマディスプレイ装置を提供することができる。
【図面の簡単な説明】
【００１８】
【図１】本発明の一実施の形態によるプラズマディスプレイ装置における映像、音声信号処理回路部分の構成を示すブロック図
【図２】従来のプラズマディスプレイ装置における映像、音声信号処理回路部分の構成を示すブロック図
【符号の説明】
【００１９】
１１  Ｉ／Ｐ変換回路
１２  信号処理回路
１３  駆動回路
１４  ＰＤＰ
１５  Ａ／Ｄコンバーター
１６  メモリー
１７  遅延時間制御装置
１８  Ｄ／Ａコンバーター
２１  音声出力装置
【図１】
2005123692.tif 000003
【図２】
2005123692.tif 000004